(57)【要約】      （修正有）【課題】パーソナルコンピュータ、タブレット端末、スマートフォン、及び携帯電話を所有する防犯パトロール隊等に即座かつ自動的にＬＥＤ防犯灯の情報を送信し、非常押ボタンスイッチが押されたＬＥＤ防犯灯へいち早く駆けつけることのできるＬＥＤ防犯灯システムを提供する。【解決手段】ＬＥＤ防犯灯１の非常押ボタンスイッチが押されると、制御通信基板は橙色ＬＥＤを点滅させるとともに、ＬＥＤ防犯灯の識別ＩＤを通信子機モジュール１２からグループ内の通信親機モジュール２０に送信し、通信親機モジュールは識別ＩＤをサーバ２１に送信する。そして、サーバは、登録されたパーソナルコンピュータ２２、タブレット端末２３、スマートフォン２４、及び携帯電話２５に識別ＩＤに対応したＬＥＤ防犯灯の情報を送信する。【選択図】図１
0003196497.tif 000002
【実用新案登録請求の範囲】
【請求項１】
非常用ＬＥＤとコントロールボックスとが設けられたＬＥＤ防犯灯と、該コントロールボックスに取付けられた非常押ボタンスイッチと、該コントロールボックスに内蔵された制御通信基板に搭載された通信子機モジュールと、複数の該通信子機モジュールと通信可能であり、インターネットに接続された通信親機モジュールと、該インターネットに接続されたサーバと、を備えたＬＥＤ防犯灯システムであって、
該ＬＥＤ防犯灯の該非常押ボタンスイッチが押されると、該制御通信基板は該非常用ＬＥＤを点滅させるとともに、該ＬＥＤ防犯灯の識別ＩＤを該通信親機モジュールに送信し、
該通信親機モジュールは、該識別ＩＤを該サーバに送信し、
該サーバは、登録されたパーソナルコンピュータ、登録されたタブレット端末、登録されたスマートフォン及び登録された携帯電話のすべてに該識別ＩＤに対応した該ＬＥＤ防犯灯の情報を送信することを特徴とするＬＥＤ防犯灯システム。
【請求項２】
前記制御通信基板には、前記非常用ＬＥＤの点滅の周期を設定することができる第１設定手段と、前記非常用ＬＥＤの点滅を終了させる時間を設定することができる第２設定手段とが搭載されていることを特徴とする請求項１記載のＬＥＤ防犯灯システム。
【請求項３】
前記第１設定手段は第１ディップスイッチであり、該第１ディップスイッチにより０．３秒から０．３秒間隔で４．８秒まで設定可能であり、
前記第２設定手段は第２ディップスイッチであり、該第２ディップスイッチにより無制限、又は２分から２分間隔で３０分までを設定可能であることを特徴とする請求項２記載のＬＥＤ防犯灯システム。
【請求項４】
前記パーソナルコンピュータ、前記タブレット端末、前記スマートフォン、及び前記携帯電話のすべてから、前記非常用ＬＥＤの点滅を終了させることができることを特徴とする請求項１乃至３のいずれか１項記載のＬＥＤ防犯灯システム。
【請求項５】
前記サーバには、前記非常押ボタンスイッチが押された前記ＬＥＤ防犯灯の情報の履歴が蓄積され、
前記パーソナルコンピュータ、前記タブレット端末、前記スマートフォン、及び前記携帯電話のすべてから、所定のＵＲＬへアクセスすることにより、該履歴が閲覧可能であることを特徴とする請求項１乃至４のいずれか１項記載のＬＥＤ防犯灯システム。
【考案の詳細な説明】
【技術分野】
【０００１】
本考案は、ＬＥＤ防犯灯の非常押ボタンスイッチが押されると、非常用ＬＥＤを点滅させるとともに、監視サーバにＬＥＤ防犯灯の情報を送信するＬＥＤ防犯灯システムに関する。
【背景技術】
【０００２】
従来、ＬＥＤ防犯灯の非常押ボタンスイッチが押された場合、赤色等のＬＥＤを点灯させるとともに、監視サーバにＬＥＤ防犯灯の情報を送信するＬＥＤ防犯灯システムとして、特許文献１に記載されたものが知られている。このＬＥＤ防犯灯システムは、図４に示すように、照明灯、緊急呼出スイッチ、及び監視カメラを含む緊急警報機器１００を備えた複数の防犯灯ポール１０１と、緊急警報機器１００からの通報を受信すると該当する監視カメラの画像を表示部１０４に表示する防犯監視制御サーバ１０３を備える監視センタ１０２とを、ネットワークＮＴに接続して構成されている。
【０００３】
このＬＥＤ防犯灯システムでは、防犯監視制御サーバ１０３に防犯灯ポール１０１の位置データベースと地図情報データベースとを備えている。そして、緊急呼出スイッチが押されると緊急警報機器１００は識別情報を防犯監視制御サーバ１０３に送信する。防犯監視制御サーバ１０３は、この識別情報を受信すると、取得された識別情報に基づき該当する防犯灯ポール１０１の位置情報を検索し、表示部１０４に監視カメラの映像と併せて表示している。そのため、このＬＥＤ防犯灯システムによれば、監視センタ１０２における利便性をさらに向上させることができる。
【先行技術文献】
【特許文献】
【０００４】
【特許文献１】特開２００３−３１７１７６号公報
【考案の概要】
【考案が解決しようとする課題】
【０００５】
しかし、上記特許文献１に記載されたＬＥＤ防犯灯システムでは、監視センタにおける利便性は向上するものの、監視センタからさらに防犯パトロール隊等に通報しなければならず、該当する防犯灯ポールへなるべく早く駆けつけるという点においては必ずしも十分ではない。
【０００６】
本考案はかかる従来の問題点に鑑みてなされたものであり、非常押ボタンスイッチが押されたＬＥＤ防犯灯へいち早く駆けつけることのできるＬＥＤ防犯灯システムを提供するものである。
【課題を解決するための手段】
【０００７】
上記の課題を解決するために、請求項１に係るＬＥＤ防犯灯システムの特徴は、非常用ＬＥＤとコントロールボックスとが設けられたＬＥＤ防犯灯と、該コントロールボックスに取付けられた非常押ボタンスイッチと、該コントロールボックスに内蔵された制御通信基板に搭載された通信子機モジュールと、複数の該通信子機モジュールと通信可能であり、インターネットに接続された通信親機モジュールと、該インターネットに接続されたサーバと、を備えたＬＥＤ防犯灯システムであって、該ＬＥＤ防犯灯の該非常押ボタンスイッチが押されると、該制御通信基板は該非常用ＬＥＤを点滅させるとともに、該ＬＥＤ防犯灯の識別ＩＤを該通信親機モジュールに送信し、該通信親機モジュールは、該識別ＩＤを該サーバに送信し、該サーバは、登録されたパーソナルコンピュータ、登録されたタブレット端末、登録されたスマートフォン及び登録された携帯電話のすべてに該識別ＩＤに対応した該ＬＥＤ防犯灯の情報を送信することである。
【０００８】
請求項２に係るＬＥＤ防犯灯システムの特徴は、前記制御通信基板には、前記非常用ＬＥＤの点滅の周期を設定することができる第１設定手段と、前記非常用ＬＥＤの点滅を終了させる時間を設定することができる第２設定手段とが搭載されていることである。
【０００９】
請求項３に係るＬＥＤ防犯灯システムの特徴は、前記第１設定手段は第１ディップスイッチであり、該第１ディップスイッチにより０．３秒から０．３秒間隔で４．８秒まで設定可能であり、前記第２設定手段は第２ディップスイッチであり、該第２ディップスイッチにより無制限、又は２分から２分間隔で３０分までを設定可能であることである。
【００１０】
請求項４に係るＬＥＤ防犯灯システムの特徴は、前記パーソナルコンピュータ、前記タブレット端末、前記スマートフォン、及び前記携帯電話のすべてから、前記非常用ＬＥＤの点滅を終了させることができることである。
【００１１】
請求項５に係るＬＥＤ防犯灯システムの特徴は、前記サーバには、前記非常押ボタンスイッチが押された前記ＬＥＤ防犯灯の情報の履歴が蓄積され、前記パーソナルコンピュータ、前記タブレット端末、前記スマートフォン、及び前記携帯電話のすべてから、所定のＵＲＬへアクセスすることにより、該履歴が閲覧可能であることである。
【考案の効果】
【００１２】
請求項１に係るＬＥＤ防犯灯システムでは、ＬＥＤ防犯灯の非常押ボタンスイッチが押されると、コントロールボックス内の制御通信基板は非常用ＬＥＤを点滅させるとともに、ＬＥＤ防犯灯の識別ＩＤを通信親機モジュールに送信し、通信親機モジュールは識別ＩＤをサーバに送信する。そして、サーバは登録されたパーソナルコンピュータ、登録されたタブレット端末、登録されたスマートフォン及び登録された携帯電話のすべてに識別ＩＤに対応したＬＥＤ防犯灯の情報を送信する。これにより、監視センタにおける監視員を介在することなく、これらパーソナルコンピュータ、タブレット端末、スマートフォン、及び携帯電話を所有する防犯パトロール隊等に即座かつ自動的にＬＥＤ防犯灯の情報を送信することができる。したがって、このＬＥＤ防犯灯システムによれば、非常押ボタンスイッチが押されたＬＥＤ防犯灯へいち早く駆けつけることができる。
【００１３】
請求項２に係るＬＥＤ防犯灯システムでは、制御通信基板に非常用ＬＥＤの点滅の周期を設定することができる第１設定手段と、非常用ＬＥＤの点滅を終了させる時間を設定することができる第２設定手段とが搭載されている。このため、ＬＥＤ防犯灯１の設置された環境に合わせて、個別に非常用ＬＥＤの点滅の周期を設定することができるとともに、個別に非常用ＬＥＤの点滅を終了させる時間を設定することができる。
【００１４】
請求項３に係るＬＥＤ防犯灯システムでは、第１設定手段としての第１ディップスイッチにより０．３秒から０．３秒間隔で４．８秒まで設定可能であり、第２設定手段としての第２ディップスイッチにより無制限、又は２分から２分間隔で３０分までを設定可能であるため、簡便に非常用ＬＥＤの点滅の周期、及び非常用ＬＥＤの点滅を終了させる時間を設定することができる。
【００１５】
請求項４に係るＬＥＤ防犯灯システムでは、登録されたパーソナルコンピュータ、登録されたタブレット端末、登録されたスマートフォン、及び登録された携帯電話のすべてから、非常用ＬＥＤの点滅を終了させることができる。そのため、ＬＥＤ防犯灯から離れた場所からでも非常用ＬＥＤの点滅を終了させることができ便利である。
【００１６】
請求項５に係るＬＥＤ防犯灯システムでは、サーバには非常押ボタンスイッチが押されたＬＥＤ防犯灯の情報の履歴が蓄積され、登録されたパーソナルコンピュータ、登録されたタブレット端末、登録されたスマートフォン、及び登録された携帯電話のすべてから所定のＵＲＬへアクセスすることにより、この履歴が閲覧可能であるため、ＬＥＤ防犯灯の最適な配置の検討等に資することができる。
【図面の簡単な説明】
【００１７】
【図１】実施形態のＬＥＤ防犯灯システムのシステム構成図。
【図２】実施形態のＬＥＤ防犯灯システムに係り、ＬＥＤ防犯灯の概略図。
【図３】実施形態のＬＥＤ防犯灯システムに係り、制御通信基板の実装ブロック図。
【図４】従来のＬＥＤ防犯灯システムのシステム構成図。
【考案を実施するための形態】
【００１８】
本考案に係るＬＥＤ防犯灯システムを具体化した実施形態を図面に基づいて以下に説明する。図１は、このＬＥＤ防犯灯システムのシステム構成図である。図１に示すように、このＬＥＤ防犯灯システムは、ＬＥＤ防犯灯１に取付けられた通信子機モジュール１２と通信親機モジュール２０との間で通信可能であり、通信親機モジュール２０はインターネットＮに接続されている。１つの通信親機モジュール２０は複数の通信子機モジュール１２と通信可能な１つのグループを構成し、複数のグループが存在可能になっている。また、通信親機モジュール２０は、グループ内の１つのＬＥＤ防犯灯１に取付けられている。
【００１９】
また、インターネットＮには、サーバ２１、パーソナルコンピュータ２２、タブレット端末２３、スマートフォン２４及び携帯電話２５が接続される。パーソナルコンピュータ２２は、このＬＥＤ防犯灯システムに登録されたものであり、パトロール隊本部、自警団本部等に配置されるのが望ましい。また、タブレット端末２３、スマートフォン２４及び携帯電話２５は、このＬＥＤ防犯灯システムに登録されたものであり、パトロール隊の各個人が所有するものである。なお、タブレット端末２３、スマートフォン２４及び携帯電話２５は通常の状態においては各々複数存在しているが、図１においては便宜上、各１つを記載している。
【００２０】
図２は、ＬＥＤ防犯灯１の概略図である。ＬＥＤ防犯灯１には、街路灯としての白色ＬＥＤ３と、非常灯としての橙色ＬＥＤ４が設けられている。また、ＬＥＤ防犯灯１のポール２の下部であって、児童であっても手の届く位置には、コントロールボックス６が設けられている。コントロールボックス６の前面には、異常を通報する場合に使用される非常押ボタンスイッチ７が設けられ、コントロールボックス６の内部には、通信子機モジュール１２が搭載された制御通信基板１０が収納されている。さらに、ポール２の上部にカメラを取り付けることもできる。この場合、カメラにより撮影された画像がサーバ２１に送信され、サーバ２１から、この画像をパーソナルコンピュータ２２、タブレット端末２３、スマートフォン２４及び携帯電話２５へ送信することができる。これにより、非常押ボタンスイッチ７が押された時の状況を容易に把握することができる。なお、橙色ＬＥＤ４が非常用ＬＥＤである。
【００２１】
図３は、制御通信基板１０の実装ブロック図である。制御通信基板１０には、電源部１１、通信子機モジュール１２、ＩＤ設定用ディップスイッチ１３、第１設定手段である第１ディップスイッチ１４、第２設定手段である第２ディップスイッチ１５、制御部１６、及び入出力部１７が実装されている。電源部１１は制御通信基板１０全体に電源を供給し、通信子機モジュール１２は通信親機モジュール２０との間で通信を行う。具体的には、通信子機モジュール１２から通信親機モジュール２０へはＬＥＤ防犯灯１の識別ＩＤ等が送信され、通信親機モジュール２０から通信子機モジュール１２へは橙色ＬＥＤ４の点滅停止命令等の各種コントロール指令が送信される。
【００２２】
また、ＩＤ設定用ディップスイッチ１３は８ビットからなり、ＬＥＤ防犯灯１の識別ＩＤを０から２５５までの間で設定可能である。第１ディップスイッチ１４は４ビットからなり、橙色ＬＥＤ４の点滅の周期を、０．３秒から０．３秒間隔で４．８秒まで設定可能である。第２ディップスイッチ１５は４ビットからなり、橙色ＬＥＤ４の点滅を終了させる時間を、無制限、又は２分から２分間隔で３０分までを設定可能である。制御部１６はＬＥＤ防犯灯１の制御を行うものであり、ＣＰＬＤ（Ｃｏｍｐｌｅｘ  Ｐｒｏｇｒａｍｍａｂｌｅ  Ｌｏｇｉｃ  Ｄｅｖｉｃｅ）を採用している。入出力部１７は、橙色ＬＥＤ４等の外部の部品を接続する端子である。
【００２３】
以上の構成をしたＬＥＤ防犯灯システムにおける動作について説明する。ＬＥＤ防犯灯１の非常押ボタンスイッチ７が押されると、制御部１６により第１ディップスイッチ１４の設定に従って橙色ＬＥＤ４が点滅されるとともに、ＩＤ設定用ディップスイッチ１３の設定に従って通信子機モジュール１２から識別ＩＤが通信親機モジュール２０に送信される。そして、通信親機モジュール２０から識別ＩＤがサーバ２１に送信される。サーバ２１は、予め作成されたデータベースから識別ＩＤに対応した位置情報等のＬＥＤ防犯灯１の情報を検索し、この情報がパーソナルコンピュータ２２、タブレット端末２３、スマートフォン２４及び携帯電話２５のすべてに送信される。これにより、これらパーソナルコンピュータ２２、タブレット端末２３、スマートフォン２４及び携帯電話２５を所有する防犯パトロール隊等は、即座に非常押ボタンスイッチ７が押されたＬＥＤ防犯灯１の情報を受信することができる。
【００２４】
ここで、橙色ＬＥＤ４を点滅させるに際し、非常押ボタンスイッチ７が押されたＬＥＤ防犯灯１だけでなく、その周辺の複数のＬＥＤ防犯灯１も点滅させている。これにより、周辺の人々にとって非常押ボタンスイッチ７が押されたＬＥＤ防犯灯１だけが死角に入った場合であっても、より確実に異常を知らせることができる。また、点滅させるＬＥＤ防犯灯１の総数は、非常押ボタンスイッチ７が押されたＬＥＤ防犯灯１を中央にして奇数であることが望ましい。これにより、非常押ボタンスイッチ７が押されたＬＥＤ防犯灯１を特定し易いからである。
【００２５】
そして、第２ディップスイッチ１５の設定時間が経過すると、制御部１６により橙色ＬＥＤ４の点滅が終了させられる。また、パーソナルコンピュータ２２、タブレット端末２３、スマートフォン２４及び携帯電話２５から所定のＵＲＬにアクセスして橙色ＬＥＤ４の点滅の終了を指示することにより、通信親機モジュール２０を経由して橙色ＬＥＤ４の点滅を終了させることもできる。これにより、橙色ＬＥＤ４の点滅を終了させる必要が生じた場合、該当するＬＥＤ防犯灯１まで行くことなく点滅を終了させることができる。
【００２６】
また、サーバ２１には非常押ボタンスイッチ７が押されたＬＥＤ防犯灯１の情報の履歴が蓄積される。そして、パーソナルコンピュータ２２、タブレット端末２３、スマートフォン２４及び携帯電話２５から、所定のＵＲＬへアクセスすることにより、この履歴を閲覧することができる。
【００２７】
実施形態のＬＥＤ防犯灯システムにおいては、ＬＥＤ防犯灯１の非常押ボタンスイッチ７が押されると、コントロールボックス６内の制御通信基板１０は橙色ＬＥＤ４を点滅させるとともに、ＬＥＤ防犯灯１の識別ＩＤを通信親機モジュール２０に送信し、通信親機モジュール２０は識別ＩＤをサーバ２１に送信する。そして、サーバ２１はパーソナルコンピュータ２２、タブレット端末２３、スマートフォン２４及び携帯電話２５のすべてに識別ＩＤに対応したＬＥＤ防犯灯１の情報を送信する。これにより、監視センタにおける監視員を介在することなく、これらパーソナルコンピュータ２２、タブレット端末２３、スマートフォン２４及び携帯電話２５を所有する防犯パトロール隊等に即座かつ自動的にＬＥＤ防犯灯１の情報を送信することができる。したがって、このＬＥＤ防犯灯システムによれば、非常押ボタンスイッチ７が押されたＬＥＤ防犯灯１へいち早く駆けつけることができる。
【００２８】
また、このＬＥＤ防犯灯システムでは、制御通信基板１０に橙色ＬＥＤ４の点滅の周期を設定することができる第１ディップスイッチ１４と、橙色ＬＥＤ４点滅を終了させる時間を設定することができる第２ディップスイッチ１５とが搭載されている。このため、ＬＥＤ防犯灯１の設置された環境に合わせて、個別に橙色ＬＥＤ４の点滅の周期を設定することができるとともに、個別に橙色ＬＥＤ４の点滅を終了させる時間を設定することができる。
【００２９】
さらに、このＬＥＤ防犯灯システムでは、第１ディップスイッチ１４により０．３秒から０．３秒間隔で４．８秒まで設定可能であり、第２ディップスイッチ１５により無制限、又は２分から２分間隔で３０分までを設定可能であるため、簡便に橙色ＬＥＤ４の点滅の周期、及び橙色ＬＥＤ４の点滅を終了させる時間を設定することができる。
【００３０】
また、このＬＥＤ防犯灯システムでは、パーソナルコンピュータ２２、タブレット端末２３、スマートフォン２４、及び携帯電話２５のすべてから、橙色ＬＥＤ４の点滅を終了させることができる。そのため、ＬＥＤ防犯灯１から離れた場所からでも橙色ＬＥＤ４の点滅を終了させることができ便利である。
【００３１】
さらに、このＬＥＤ防犯灯システムでは、サーバ２１には非常押ボタンスイッチ７が押されたＬＥＤ防犯灯１の情報の履歴が蓄積され、パーソナルコンピュータ２２、タブレット端末２３、スマートフォン２４、及び携帯電話２５のすべてから所定のＵＲＬへアクセスすることにより、この履歴が閲覧可能であるため、ＬＥＤ防犯灯１の最適な配置の検討等に資することができる。
【００３２】
以上、本考案のＬＥＤ防犯灯システムを実施形態に即して説明したが、本考案はこれらに制限されるものではなく、本考案の技術的思想に反しない限り、適宜変更して適用できることはいうまでもない。
【符号の説明】
【００３３】
１…ＬＥＤ防犯灯、４…非常用ＬＥＤ（橙色ＬＥＤ）、６…コントロールボックス、７…非常押ボタンスイッチ、１０…制御通信基板、１２…通信子機モジュール、１４…第１設定手段（第１ディップスイッチ）、１５…第２設定手段（第２ディップスイッチ）、２０…通信親機モジュール、２１…サーバ、２２…パーソナルコンピュータ、２３…タブレット端末、２４…スマートフォン、２５…携帯電話。
【図１】
0003196497.tif 000003
【図２】
0003196497.tif 000004
【図３】
0003196497.tif 000005
【図４】
0003196497.tif 000006